(57)【要約】【課題】携帯型録音装置１０は、ユーザが録音レベルを手動で設定できるようになっているとともに、録音信号がピークオーバーレベルとなった場合にはピークオーバーＬＥＤ２１を点灯する。ユーザは、録音中、録音対象及び周囲の状況に気を遣わなければならず、ピークオーバーＬＥＤ２１の視認は煩雑であるとともに負担となる。ユーザに作業中の負担を軽減させつつ、適格にピークオーバーレベル発生を認知させるようにする。【解決手段】録音レベルが０ｄＢを上回ることを検出すると（Ｓ５３Ｙｅｓ）、ピークオーバーレベル発生の旨の音、例えば所定の効果音、ビープ音又は案内音声をモニター音にミキシングさせて、ヘッドホン２３から出力する。【選択図】図４
2009294318.tif 000002
【特許請求の範囲】
【請求項１】
録音状況が録音に係る設定の変更を必要とする状況となっているか否かを判断する状況判断手段、及び
前記状況判断手段が、前記設定の変更を必要とする状況であると判断した場合には、その旨を通知する音をモニター用放音器から出力する通知音出力手段、
を備えることを特徴とする録音装置。
【請求項２】
前記通知音出力手段は、左右のチャネルに対応して１つずつ存在し、
前記状況判断手段が、前記設定の変更を必要とする状況であると判断した場合には、左右一方のチャネル用の通知音出力手段のみがその旨を通知する音をモニター用放音器から出力し、左右他方のチャネル用の通知音出力手段は、録音する音のみを出力することを特徴とする請求項１記載の録音装置。
【請求項３】
前記モニター用放音器からの通知音の出力後、前記設定を適正値へ自動変更する設定変更手段、
を備えることを特徴とする請求項１又は２記載の録音装置。
【請求項４】
前記設定は録音レベルの設定を含むことを特徴とする請求項１〜３のいずれかに記載の録音装置。
【請求項５】
前記通知音出力手段は、通知音をモニター音にミキシング又は割り込ませることを特徴とする請求項１〜４のいずれかに記載の録音装置。
【請求項６】
録音状況が録音に係る設定の変更を必要とする状況となっているか否かを判断する状況判断ステップ、及び
前記状況検出ステップにおいて前記設定の変更を必要とする状況であると判断した場合には、その旨を通知する音をモニター用放音器から出力する通知音出力ステップ、
を備えることを特徴とする録音装置制御方法。
【請求項７】
請求項１〜５のいずれかに記載の録音装置の各手段としてコンピュータを機能させるプログラム。
【発明の詳細な説明】
【技術分野】
【０００１】
本発明は、ユーザがモニター音を聞きつつ録音を行うことができるようになっている録音装置、制御方法及びプログラムに関するものである。
【背景技術】
【０００２】
特許文献１は音声記録装置を開示する（特許文献１の段落００３１）。該音声記録装置は、複数のセグメントの配列における左端からのセグメントの点灯数を制御することにより、音声信号のピークレベルを棒グラフ状に表示するレベル表示機能を装備する（特許文献１の図５）。
【０００３】
一方、ユーザに携帯されて、会議音だけでなく、自然音や演奏音等、様々な音を録音する携帯型録音装置には、録音レベルを自動だけでなく、ユーザが任意に設定できるようにしたものがある。該携帯型録音装置では、通常、録音レベルが０ｄＢを上回るピークオーバーレベルが起きた場合、表示器に「ピークオーバーレベル」の文字を表示したり、ＬＥＤ（発光ダイオード：Light Emitting Diode）インジケータを点灯したりして、ユーザに知らせる。ユーザは、ヘッドホンでモニター音（録音又は集音された音）を聞きながら、内蔵又は外付けのマイクロホンで集音した音をメモリに記録するとともに、表示器又はＬＥＤインジケータをチェックし、ピークオーバーレベル発生の場合には、録音レベルの設定変更を行なうことになる。
【特許文献１】特開平１１−６５５０９号公報
【発明の開示】
【発明が解決しようとする課題】
【０００４】
ユーザは、録音作業中は、モニター音やピークオーバーレベルだけでなくその他の周囲の状況等にも気を配らなければならないことがあるので、モニター音を聞きながら、さらに、表示器又はＬＥＤインジケータの表示に注意を払うことは、煩雑であるとともに、負担が増大する。特許文献１は、単に、音声信号のピークレベルを表示器に表示するのみであり、録音作業中における表示器等における表示に対するユーザの監視負担を軽減する具体的構成についてなんら言及していない。
【０００５】
本発明の目的は、ユーザが、録音レベルのような録音に影響する設定の変更必要性を、録音作業中の負担を軽減して、適格に認知することができるようにした録音装置、制御方法及びプログラムを提供することである。
【課題を解決するための手段】
【０００６】
本発明によれば、ユーザは、現在の録音状況が、録音レベルのような録音設定の変更を必要とする状況となっていることをモニター用放音器（例：ヘッドホンやスピーカ）から音で知らされる。該音は、例えば所定の効果音、ビープ音又は案内音声である。該音は、例えばモニター音とミキシングさせたり、又は割り込ませたりして、モニター用放音器から出力される。
【０００７】
本発明の録音装置は次のものを備えている。
録音状況が録音に係る設定の変更を必要とする状況となっているか否かを判断する状況判断手段、及び
前記状況判断手段が、前記設定の変更を必要とする状況であると判断した場合には、その旨を通知する音をモニター用放音器から出力する通知音出力手段。
【０００８】
本発明の録音装置制御方法は次のステップを備えている。
録音状況が録音に係る設定の変更を必要とする状況となっているか否かを判断する状況判断ステップ、及び
前記状況検出ステップにおいて前記設定の変更を必要とする状況であると判断した場合には、その旨を通知する音をモニター用放音器から出力する通知音出力ステップ。
【０００９】
本発明のプログラムは、前述の録音装置の各手段としてコンピュータを機能させる。
【発明の効果】
【００１０】
本発明によれば、ユーザは、モニター用放音器からモニター音を聞きつつ、現在の録音状況が、録音設定の変更を必要する状況となっている場合には、そのことをモニター用放音器から聴くことができる。したがって、表示器等における表示に注意を払う手間を省略することができるとともに、ピークオーバーレベル発生を適格に認知することができる。。
【発明を実施するための最良の形態】
【００１１】
図１は携帯型録音装置１０の正面図である。該携帯型録音装置１０は、ＤＡＰ（デジタルオーディオプレーヤ：Digital Audio Player）も兼ねる。携帯型録音装置１０は中央マイクロホン１１及び左及び右のマイクロホン１２ｌ，１２ｒの計３個のマイクロホンを装備する。中央マイクロホン１１は携帯型録音装置１０の上端面に配備される。左及び右のマイクロホン１２ｌ，１２ｒは携帯型録音装置１０の上端部の左右側面に配備される。表示部１３及び操作部１４は、携帯型録音装置１０の正面のそれぞれほぼ上半部及び下半部を占めている。表示部１３は、液晶表示器から構成され、録音及び再生に係る各種の情報を表示する。
【００１２】
操作部１４は、録音キー１７、再生／停止キー１８、上移動キー１９ｕ、下移動キー１９ｄ、音量増加キー２０ｕ及び音量減少キー２０ｄ等を有している。録音キー１７は、操作部１４の上辺部に配置され、録音開始時に押下される。再生／停止キー１８は、操作部１４のほぼ中央に配備され、ユーザが押下するごとに再生と停止とが交互に切替わるようになっている。再生／停止キー１８は録音を停止させる時にも押下される。上移動キー１９ｕ及び下移動キー１９ｄは、再生／停止キー１８を包囲する枠体の上及び下部の部位となっている。該枠体は、ユーザが上、下、左及び右のいずれかの部位を選択して押下するようになっている。上移動キー１９ｕ及び下移動キー１９ｄは、例えばカーソル移動、階層移動及び録音レベル等の設定値増減の際に押下される。音量増加キー２０ｕ及び音量減少キー２０ｄは操作部１４の右辺部に配置され、音量増加キー２０ｕ及び音量減少キー２０ｄが押下されるごとに、再生音量が段階的に増加及び減少するようになっている。
【００１３】
ピークオーバーＬＥＤ２１は、表示部１３と操作部１４との間に配備され、ピークオーバーレベルの発生時には赤色に点灯する。ヘッドホン２３は、携帯型録音装置１０の下端面に配備されているジャック（図示せず）にプラグを差込み自在になっている。携帯型録音装置１０は、フラッシュメモリを内蔵するとともに、下端面のスロットからＳＤカードを装填自在になっている。ユーザは、ヘッドホン２３の左右の放音部をそれぞれ左右の耳に装填して、再生中及び録音中に放音部から再生音及びモニター音を聴取する。
【００１４】
図２は録音時の表示部１３における表示例を示している。図２において最上段の"ＲＥＣ    Ｌｅｂｅｌ"は、ユーザが設定した録音レベルを示す。該携帯型録音装置１０では録音レベルはユーザが０〜６４の範囲で任意に設定することができるようになっており、図２では、録音レベル＝１０に設定されている。なお、携帯型録音装置１０の背面には、録音レベルを自動で調整するかユーザが手動で設定するかのスライド式切替スイッチがあり、ユーザによる録音レベルの手動設定は、該切替スイッチが手動設定となっている場合のみ、可能になっている。また、ユーザによる録音レベルの手動設定は、メニュー画面から録音レベルの設定を選択した後、上移動キー１９ｕ及び下移動キー１９ｄを押下して、０〜６４の範囲で調整する。
【００１５】
図２の白抜きの"Ｌ"及び"Ｒ"から右に延びるバーは、レベルメーターであり、左及び右のマイクロホン１２ｌ，１２ｒに集音した音についての録音信号のレベルを示している。メモリ４２（図３）に録音される音の音量は録音信号のレベルに対応する。レベルメーターは、録音信号のレベルを−４０ｄＢ〜０ｄＢの範囲で表示するようになっている。もし録音信号のレベルが０ｄＢを上回ると、それはピークオーバーレベルであって、いわゆる音割れの原因になる。音割れを回避するためには、録音レベルの設定レベルを低下させる必要がある。また、録音レベルの設定レベルが低過ぎると、録音した音についての再生音が小さ過ぎる弊害が起きる。
【００１６】
図２の"ＰＥＡＫ"の上及び下の四角のマークが塗り潰された状態になると、それは左又は右の録音信号のレベルが０ｄＢを上回っていることを意味する。図２では、左及び右のマイクロホン１２ｌ，１２ｒに係る録音信号のレベルメーター及び"ＰＥＡＫ"しか表示されていないが、中央マイクロホン１１に係る録音信号のレベルメーター及び"ＰＥＡＫ"についても左及び右のマイクロホン１２ｌ，１２ｒと同様に表示することができる。
【００１７】
図３は携帯型録音装置１０の録音処理部２８のブロック図である。マイクロホン３０は中央マイクロホン１１、左及び右のマイクロホン１２ｌ，１２ｒを総称する。実際には、レベル変換部３１、アンプ３２及び信号レベル検出部３３は中央マイクロホン１１、左及び右のマイクロホン１２ｌ，１２ｒについて個々に用意される。マイクロホン３０が集音して生成したオーディオ信号はレベル変換部３１へ供給され、レベル変換部３１は該オーディオ信号を、ユーザが設定した録音レベルに対応するレベルへ変更する。レベル変換部３１の出力はアンプ３２及び信号レベル検出部３３へ供給される。アンプ３２は、レベル変換部３１からのオーディオ信号を増幅して、Ａ／Ｄコンバータ３４へ供給する。Ａ／Ｄコンバータ３４は、該オーディオ信号をアナログ形式からデジタル形式へ変換して、ＤＳＰ３５へ供給する。
【００１８】
信号レベル検出部３３は、レベル変換部３１の出力信号のレベルを検出し、検出信号をマイコン３９へ送る。マイコン３９は、信号レベル検出部３３からの検出信号に基づき図２のレベルメーター及び"ＰＥＡＫ"におけるレベル情報及びピークオーバーレベル発生情報を生成し、それらを表示するための信号を表示部１３へ供給する。表示部１３は、該データ信号に基づき図２の表示を行う。マイコン３９は、また、ピークオーバーレベルが発生したときは、それをユーザで音で通知させる制御信号をＤＳＰ３５へ送る。
【００１９】
ＤＳＰ３５は、Ａ／Ｄコンバータ３４からのオーディオ信号に基づき例えばＷＭＡのファイルデータを生成して、該ファイルデータに係るデジタル信号をメモリ４２へ供給して、メモリ４２にＷＭＡの録音ファイルを作る。ＤＳＰ３５は、また、Ａ／Ｄコンバータ３４からのオーディオ信号に基づきモニター音信号を生成し、これをヘッドホン２３へ供給する。ＤＳＰ３５は、マイコン３９からピークオーバーレベル発生情報を受けた時は、ピークオーバーレベル発生に対応する音をモニター音とミキシングして、ヘッドホン２３へ供給する。ピークオーバーレベル発生に対応する具体的な音として、所定の効果音、ビープ音又は案内音声（例：「ピークオーバーレベルが発生しました。」）が挙げられる。
【００２０】
図４はモニター音を利用したピークオーバーレベル通知方法５０のフローチャートである。Ｓ５１では、ユーザが録音開始指示を出したか否かを判定し、判定が正であれば、Ｓ５２へ進み、否であれば、ピークオーバーレベル通知方法５０を終了する。ユーザは録音キー１７を押下することより録音開始指示を携帯型録音装置１０へ出す。Ｓ５２では、ユーザが録音終了指示を出したか否かを判定し、判定が正であれば、ピークオーバーレベル通知方法５０を終了し、否であれば、Ｓ５３へ進む。ユーザは再生／停止キー１８を押下することより録音終了指示を携帯型録音装置１０へ出す。
【００２１】
Ｓ５３では録音レベルが０ｄＢを上回っているか否か、すなわちピークオーバーレベルが起きているか否かを判定し、判定が正であれば、Ｓ５４へ進み、否であれば、Ｓ５２へ戻る。Ｓ５４ではピークオーバーＬＥＤ２１を点灯させる。Ｓ５５では、ピークオーバーレベルの発生を知らせる効果音、ビープ音又は案内音声をモニター音にミキシングさせる。典型的には、これら効果音、ビープ音又は案内音声とモニター音とのミキシング音は、携帯型録音装置１０のヘッドホン２３の左右両方の放音部から出力させるが、左右一方の放音部からのみ出力させ、他方の放音部からはモニター音のみ出力させるようにしてもよい。
【００２２】
図４の音声ソースは、今回の録音対象を意味し、マイクロホン３０は音声ソースの音を集音する。録音信号が、マイクロホン３０が出力するオーディオ信号をユーザが設定した録音レベルによりレベル変更することにより生成され、該録音信号に係るデジタル信号がメモリ４２のドライブへ供給されて、録音信号のレベルに対応する音がメモリ４２に録音される。モニター音は、録音信号に対応しており、Ｓ５５において効果音、ビープ音又は案内音声をミキシングされてから、ヘッドホン２３へ供給される。
【００２３】
携帯型録音装置１０のユーザは、ピークオーバーＬＥＤ２１の点灯や、表示部１３におけるＰＥＡＫの塗り潰し表示だけでなく、ヘッドホン２３の効果音等からもピークオーバーレベル発生を知ることができる。ユーザは、録音中、作業に忙しくて、表示部１３やピークオーバーＬＥＤ２１を見る暇がない場合や、見ずに済ませたい場合があり、その場合に、ヘッドホン２３から効果音等は負担軽減となる。
【００２４】
Ｓ５６では、モニター音への効果音等のミキシング開始から一定時間が経過したか否かを判定し、判定が正になりしだい、Ｓ５７へ進む。Ｓ５７では、モニター音への効果音、ビープ音又は音声案内のミキシングを終了する。したがって、以降、ヘッドホン２３からの放音はモニター音のみとなる。Ｓ５７の後、Ｓ５２へ戻る。なお、Ｓ５６では、モニター音への効果音等のミキシング開始から一定時間が経過したか否かの判定に代えて、録音レベルが０ｄＢ以下に戻ったか否か判定することにし、その判定が正になりしだい、Ｓ５２へ戻るようにすることもできる。
【００２５】
図５は録音装置６０のブロック図である。録音装置６０の具体例は携帯型録音装置１０（図１）である。録音装置６０は携帯型でなくてもよい。録音装置６０は状況判断手段６１及び通知音出力手段６２を備える。録音装置６０はさらに設定変更手段６３を備えることができる。
【００２６】
状況判断手段６１は、録音状況が録音に係る設定の変更を必要とする状況となっているか否かを判断する。通知音出力手段６２は、状況判断手段６１が、設定の変更を必要とする状況であると判断した場合には、その旨を通知する音をモニター用放音器６７から出力する。
【００２７】
録音に係る設定とは例えば録音レベルの設定である。典型的には、通知音出力手段６２は、通知音をモニター音にミキシング又は割り込ませる。モニター音と通知音とのミキシングでは、ミキシング期間中は、モニター音の音量をミキシング前のものより減少させてもよいとする。通知音出力手段６２によるモニター用放音器６７から通知音出力は、録音中に限定されない。モニター音がモニター用放音器６７から出力されている期間であれば、例えは録音装置６０の録音待機期間であってもよい。録音装置６０は、モニター用放音器６７からの通知音の出力と併せて、例えば携帯型録音装置１０の図１のピークオーバーＬＥＤ２１や図２の"ＰＥＡＫ"のように、ピークオーバーレベル発生を視覚表示することもできる。
【００２８】
モニター用放音器６７の具体例はヘッドホン２３であるが、モニター用放音器６７はスピーカであってもよい。その場合、マイクロホンがスピーカからモニター音や通知音を拾わない対策が必要になる。例えば、マイクロホンがモニター用スピーカの出力音を拾わないように、モニター用スピーカからマイクロホンを十分に離すか（モニター用スピーカ及び／又はマイクロホンが外付けである場合に限る。）、モニター用スピーカの出力音の音量を十分に下げるかする。モニター用放音器６７としてのヘッドホンにバイブレータを付加し、ピークオーバーレベル発生時には通知音に代えて該バイブレータを作動させて、ユーザは耳元の振動によりピークオーバーレベル発生を認知するようにしてもよい。
【００２９】
こうして、ユーザは、録音作業中、録音装置６０の表示部やＬＥＤを見ることなく、モニター用放音器６７からの音のみを聞いているだけで、ピークオーバーレベル発生を知ることができ、負担を軽減されつつ、ピークオーバーレベル発生を適格に認知することができる。
【００３０】
典型的には、通知音出力手段６２は、左右のチャネルに対応して１つずつ存在する。そして、状況判断手段６１が、設定の変更を必要とする状況であると判断した場合には、左右一方のチャネル用の通知音出力手段６２のみがその旨を通知する音を出力し、左右他方のチャネル用の通知音出力手段６２は、録音する音（モニター音）のみを出力する。左右一方のチャネル用の通知音出力手段６２はその旨の通知する音だけを出力してもよいし、その旨の通知する音と録音する音とのミキシング音を出力してもよい。こうして、ユーザはモニター音について片方の耳から適切に把握することができる。
【００３１】
好ましくは、設定変更手段６３は、モニター用放音器６７からの通知音の出力後、設定を適正値へ自動変更する。そして、通知音出力手段６２は、設定変更手段６３による設定変更後に設定変更した旨を通知する音（例：所定の効果音、ビープ音又は案内音声）をモニター用放音器６７から出力する。このような自動変更を許可するか禁止するかはユーザが予め設定しておくことが好ましい。
【００３２】
図６は録音装置制御方法７０のフローチャートである。録音装置制御方法７０は録音装置６０に適用される。Ｓ７１では、録音状況が録音に係る設定の変更を必要とする状況となっているか否かを判定し、判定が正であれば、次のＳ７２へ進み、否であれば、録音装置制御方法７０を終了する。Ｓ７２では、録音状況が録音に係る設定の変更を必要とする状況となっている旨を通知する音をモニター用放音器６７から出力する。
【００３３】
Ｓ７１，Ｓ７２の処理は、録音装置６０（図５）の状況判断手段６１及び通知音出力手段６２の機能にそれぞれ対応している。したがって、状況判断手段６１及び通知音出力手段６２の機能について述べた具体的態様はＳ７１，Ｓ７２の処理についての具体的態様としても適用可能である。録音装置制御方法７０では、また、録音装置６０の設定変更手段６３の機能に対応する処理を実行するステップを適宜、追加可能である。設定変更手段６３に対応するステップは、Ｓ７２の後に追加される。また、該ステップの後に、さらに、設定を自動変更した旨の通知音をモニター用放音器６７から出力するステップも追加される。
【００３４】
本発明を適用したプログラムは、コンピュータを録音装置６０の各手段として機能させる。本発明を適用した別のプログラムは、録音装置制御方法７０の各ステップをコンピュータに実行させる。
【００３５】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００３６】
【図１】携帯型録音装置の正面図である。
【図２】録音時の表示部における表示例を示す図である。
【図３】携帯型録音装置の録音処理部のブロック図である。
【図４】モニター音を利用したピークオーバーレベル通知方法のフローチャートである。
【図５】録音装置のブロック図である。
【図６】録音装置制御方法のフローチャートである。
【符号の説明】
【００３７】
６０：録音装置、６１：状況判断手段、６２：通知音出力手段、６３：設定変更手段、６７：モニター用放音器、７０：録音装置制御方法。
【図１】
2009294318.tif 000003
【図２】
2009294318.tif 000004
【図３】
2009294318.tif 000005
【図４】
2009294318.tif 000006
【図５】
2009294318.tif 000007
【図６】
2009294318.tif 000008